【手続補正書】
【提出日】平成19年11月8日(2007.11.8)
【手続補正１】
【補正対象書類名】明細書
【補正対象項目名】発明の名称
【補正方法】変更
【補正の内容】
【発明の名称】電子決済システム、代金決済方法、決済サーバ
【手続補正２】
【補正対象書類名】明細書
【補正対象項目名】特許請求の範囲
【補正方法】変更
【補正の内容】
【特許請求の範囲】
【請求項１】  ユーザ端末と販売者サーバと決済サーバからなる電子決済システムであって、
ユーザ端末は、
ユーザから入力を受けた取引情報を決済サーバから受け取った暗号化キーにより暗号化し、暗号化コードを生成する暗号生成手段と、
前記暗号化手段で生成された暗号化コードをユーザIDおよび購入注文時に販売者サーバから通知された取引番号とともに販売者サーバに送信する第一送信手段と、
前記暗号化コードおよび前記ユーザIDを決済サーバに送信する第二送信手段とを有し、
販売者サーバは、
前記ユーザ端末から受信した暗号化コード、販売者ID、および販売価格を決済サーバに送信する第三送信手段を有し、
決済サーバは、
各ユーザのユーザIDと、暗号復号キーとが記録されたデータベースと、
前記ユーザ端末から受信したユーザIDに関係付けられて前記データベースに記録された暗号復号キーを用いて前記暗号化コードを復号する復号処理手段と、
前記ユーザ端末から受信した暗号化コードと前記販売者サーバから受信した暗号化コードとが所定の対応関係を有するかを判定する判定手段と、
前記判定部において、対応関係を有すると判定された場合にのみ、代金の決済処理を実行する決済処理手段とを有することを特徴とするシステム。
【請求項２】  ネットワーク上で行われた売買取引についての代金決済を行う方法であって、
ユーザ端末が、
ユーザから入力を受けた購入価格を含む取引情報を決済サーバから受け取った暗号化キーにより暗号化し、暗号化コードを生成する暗号生成ステップと、
前記暗号化手段で生成された暗号化コードをユーザIDおよび購入注文時に販売者サーバから通知された取引番号とともに販売者サーバに送信する第一送信ステップと、
前記暗号化コードおよび前記ユーザIDを決済サーバに送信する第二送信ステップとを実行し、
販売者サーバが、
前記ユーザ端末から受信した暗号化コード、販売者ID、および販売価格を決済サーバに送信する第三送信ステップを実行し、
決済サーバが、
前記ユーザ端末から受信したユーザIDに基づいて、ユーザIDと暗号復号キーとが記録されたデータベースを参照し、暗号復号キーを用いて前記暗号化コードを復号する復号処理ステップと、
前記ユーザ端末から受信した暗号化コードと前記販売者サーバから受信した暗号化コードとが所定の対応関係を有するかを判定する判定ステップと、
前記判定ステップにおいて、対応関係を有すると判定された場合にのみ、代金の決済処理を行なう決済処理ステップとを実行することを特徴とする代金決済方法。
【請求項３】  ユーザ端末と販売者サーバとネットワーク上で接続された決済サーバであって、
ユーザ端末から、取引情報を暗号化した暗号化コードとユーザIDを受信する第一受信手段と、
販売者サーバから暗号化コード、販売者IDおよび販売価格を受信する第二受信手段と、
前記ユーザ端末から受信したユーザIDに基づいて、ユーザIDと暗号復号キーとが記録されたデータベースを参照し、暗号復号キーを用いて前記暗号化コードを復号する復号処理手段と、
前記ユーザ端末から受信した暗号化コードと前記販売者サーバから受信した暗号化コードとが所定の対応関係を有するかを判定する判定手段と、
前記判定部において、対応関係を有すると判定された場合にのみ、代金の決済処理を実行する決済処理手段とを有することを特徴とする決済サーバ。
【手続補正３】
【補正対象書類名】明細書
【補正対象項目名】０００５
【補正方法】変更
【補正の内容】
【０００５】
【課題を解決するための手段】
上記の目的を達成するため、本発明は、ユーザ端末と販売者サーバと決済サーバからなる電子決済システムであって、
ユーザ端末は、
ユーザから入力を受けた取引情報を決済サーバから受け取った暗号化キーにより暗号化し、暗号化コードを生成する暗号生成手段と、
前記暗号化手段で生成された暗号化コードをユーザIDおよび購入注文時に販売者サーバから通知された取引番号とともに販売者サーバに送信する第一送信手段と、
前記暗号化コードおよび前記ユーザIDを決済サーバに送信する第二送信手段とを有し、
販売者サーバは、
前記ユーザ端末から受信した暗号化コード、販売者ID、および販売価格を決済サーバに送信する第三送信手段を有し、
決済サーバは、
各ユーザのユーザIDと、暗号復号キーとが記録されたデータベースと、
前記ユーザ端末から受信したユーザIDに関係付けられて前記データベースに記録された暗号復号キーを用いて前記暗号化コードを復号する復号処理手段と、
前記ユーザ端末から受信した暗号化コードと前記販売者サーバから受信した暗号化コードとが所定の対応関係を有するかを判定する判定手段と、
前記判定部において、対応関係を有すると判定された場合にのみ、代金の決済処理を実行する決済処理手段とを有することを特徴とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
また、本発明は、ネットワーク上で行われた売買取引についての代金決済を行う方法であって、
ユーザ端末が、
ユーザから入力を受けた購入価格を含む取引情報を決済サーバから受け取った暗号化キーにより暗号化し、暗号化コードを生成する暗号生成ステップと、
前記暗号化手段で生成された暗号化コードをユーザIDおよび購入注文時に販売者サーバから通知された取引番号とともに販売者サーバに送信する第一送信ステップと、
前記暗号化コードおよび前記ユーザIDを決済サーバに送信する第二送信ステップとを実行し、
販売者サーバが、
前記ユーザ端末から受信した暗号化コード、販売者ID、および販売価格を決済サーバに送信する第三送信ステップを実行し、
決済サーバが、
前記ユーザ端末から受信したユーザIDに基づいて、ユーザIDと暗号復号キーとが記録されたデータベースを参照し、暗号復号キーを用いて前記暗号化コードを復号する復号処理ステップと、
前記ユーザ端末から受信した暗号化コードと前記販売者サーバから受信した暗号化コードとが所定の対応関係を有するかを判定する判定ステップと、
前記判定ステップにおいて、対応関係を有すると判定された場合にのみ、代金の決済処理を行なう決済処理ステップとを実行することを特徴とする。
【手続補正６】
【補正対象書類名】明細書
【補正対象項目名】０００８
【補正方法】変更
【補正の内容】
【０００８】
また、本発明は、ユーザ端末と販売者サーバとネットワーク上で接続された決済サーバであって、
ユーザ端末から、取引情報を暗号化した暗号化コードとユーザIDを受信する第一受信手段と、
販売者サーバから暗号化コード、販売者IDおよび販売価格を受信する第二受信手段と、
前記ユーザ端末から受信したユーザIDに基づいて、ユーザIDと暗号復号キーとが記録されたデータベースを参照し、暗号復号キーを用いて前記暗号化コードを復号する復号処理手段と、
前記ユーザ端末から受信した暗号化コードと前記販売者サーバから受信した暗号化コードとが所定の対応関係を有するかを判定する判定手段と、
前記判定部において、対応関係を有すると判定された場合にのみ、代金の決済処理を実行する決済処理手段とを有することを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００５２
【補正方法】変更
【補正の内容】
【００５２】
【発明の効果】
本発明によれば、購入者側から送信されてきた第１の暗号化コードと、販売者側から送信されてきた第２の暗号化コードとが所定の対応関係を有する場合にのみ、購入者の口座から代金を引き落とすようにしたので、クレジットカード番号を用いることなく、売買取引の成立を確認したうえでの安全・確実なネットワーク上での代金決済を、実現することができる。
【手続補正１０】
【補正対象書類名】明細書
【補正対象項目名】００５３
【補正方法】削除
【補正の内容】
【手続補正１１】
【補正対象書類名】明細書
【補正対象項目名】００５４
【補正方法】削除
【補正の内容】